(57)【特許請求の範囲】
【請求項１】
物を収納する本体部と、当該本体部と床面との間に配置されて当該本体部を支承する台輪と、を備えた転倒防止機能を有する家具であって、
前記台輪の内部空間内で床面に配置される接地部と、
前記接地部を前記本体部に連結する連結手段と、
を備える、転倒防止機能を有する家具。
【請求項２】
請求項１に記載の転倒防止機能を有する家具において、
前記台輪は、前記本体部の背面側に開口部が形成されており、
一端が前記接地部に連結され、他端が前記開口部から前記本体部の前記背面を通って当該背面の上部に連結される連結部を更に備える、転倒防止機能を有する家具。
【請求項３】
請求項２に記載の転倒防止機能を有する家具において、
前記連結部は、
前記接地部に取り付けられる第１連結具と、
前記本体部の前記背面側の上部に取り付けられる第２連結具と、
前記第１連結具と前記第２連結具との間に張設される連結ワイヤと、
を備える、転倒防止機能を有する家具。
【請求項４】
請求項１乃至３のいずれか一項に記載の転倒防止機能を有する家具において、
前記接地部は、
前記台輪とは別体に設けられる接地板と、
前記接地板の下面に取り付けられ、床面に密着されることで粘着力を発揮する粘着マットと、
を備える、転倒防止機能を有する家具。
【請求項５】
請求項４に記載の転倒防止機能を有する家具において、
前記接地板と前記本体部の底板との間に、当該接地板を床面に押し付ける押付け手段が設けられている、転倒防止機能を有する家具。
【請求項６】
請求項５に記載の転倒防止機能を有する家具において、
前記押付け手段は、
前記接地板の上面に設けられた押付けスタッドであって、穴部を備えた押付けスタッドと、
前記本体部の前記底板に埋め込まれた押付けナット部と、
前記押付けナット部に螺合する雄ネジ部と、当該雄ネジ部側の端面に形成された回転部と、当該回転部とは反対側の端部に形成された当接部とを有する押付けボルトと、
を備え、
前記押付けボルトの前記当接部は、前記押付けスタッドの前記穴部の内部に形成される被当接部に当接し、
前記押付けボルトの前記当接部が前記押付けスタッドの前記穴部の内部に形成された前記被当接部に当接して前記接地部を床面に押し付けるとき、当該押付けボルトの前記雄ネジ部側の端面が前記本体部の前記底板から上方に突出しない、転倒防止機能を有する家具。
【請求項７】
請求項５又は６に記載の転倒防止機能を有する家具において、
前記接地板と前記本体部の前記底板との間に、前記接地部を吊持状態で保持し、位置決め完了後に吊持状態を解除する吊持手段が設けられている、転倒防止機能を有する家具。
【請求項８】
請求項７に記載の転倒防止機能を有する家具において、
前記吊持手段は、
前記接地板の上面に設けられた吊持スタッドであって、内部に雌ネジ部が刻設された吊持スタッドと、
前記本体部の前記底板に設けられた吊持部と、
第１雄ネジ部、及び、当該第１雄ネジ部と同軸で前記吊持スタッドの前記雌ネジ部に螺合する第２雄ネジ部、当該第１雄ネジ部側の端面に形成された回転部を有する吊持ボルトと、
前記吊持ボルトの前記第１雄ネジ部に螺合して前記接地部を吊り上げる吊上げナットと、
を備える、転倒防止機能を有する家具。
【請求項９】
請求項４に記載の転倒防止機能を有する家具において、
前記接地板と前記本体部の底板との間に、前記接地部を吊持状態で保持し、位置決め完了後に吊持状態を解除する吊持作用、及び、吊持状態が解除された当該接地部の当該接地板を当該床面に更に押し付ける押付け作用を併せ持つ吊持・押付け手段が設けられている、転倒防止機能を有する家具。
【請求項１０】
請求項９に記載の転倒防止機能を有する家具において、
前記吊持・押付け手段は、
前記接地板の上面に設けられたスタッドであって、穴部を備え、当該穴部の側面に刻設された所定の深さの雌ネジ部、及び、当該雌ネジ部の奥に形成され当該雌ネジ部の谷径より大径の逃げ部を備えたスタッドと、
前記本体部の前記底板に埋め込まれ、前記スタッドの前記雌ネジ部と同径の雌ネジ部を有するナット部と、
一方の端部に形成された当接部、及び、前記スタッドの前記雌ネジ部に螺合する第１雄ネジ部、当該第１雄ネジ部の谷径より小径の軸部、当該軸部を挟んで当該第１雄ネジ部とは反対側に形成された第２雄ネジ部、当該当接部とは反対側の端部に形成された回転部を有する吊持・押付けボルトと、
前記吊持・押付けボルトの前記第２雄ネジ部に螺合して前記接地部を吊り上げる吊上げナットと、
を備え、
前記吊持・押付けボルトの前記当接部は、前記スタッドの前記穴部の内部に形成される被当接部に当接し、
前記吊持・押付けボルトの前記第１雄ネジ部のねじ長さは、前記スタッドの前記逃げ部の軸方向長さより短く、
前記吊持・押付けボルトの前記軸部は、前記スタッドの前記雌ネジ部の下側端面と前記ナット部の前記雌ネジ部の上側端面との間の距離より長く形成され、
前記接地部を吊持ちするために、前記吊持・押付けボルトの前記第１雄ネジ部が前記スタッドの前記雌ネジ部に螺合するとき、当該吊持・押付けボルトの前記第２雄ネジ部が前記本体部の前記底板から上方に突出し、
前記吊持・押付けボルトの前記当接部が前記スタッドの前記穴部の内部に形成された前記被当接部に当接して前記接地部を床面に押し付けるとき、当該吊持・押付けボルトの前記第２雄ネジ部側の端面が前記本体部の前記底板から上方に突出しない、転倒防止機能を有する家具。
【請求項１１】
請求項９に記載の転倒防止機能を有する家具において、
前記吊持・押付け手段は、
前記接地板の上面に設けられたスタッドであって、穴部を備え、当該穴部の側面に所定の深さの雌ネジ部が刻設されたスタッドと、
前記本体部の前記底板に埋め込まれたナット部であって、前記スタッドの前記雌ネジ部と同径の雌ネジ部を有するナット部と、
前記スタッドの前記雌ネジ部に螺合する第１雄ネジ部、及び、当該第１雄ネジ部側の端面に形成された第１回転部、当該第１雄ネジ部と同軸で反対側に形成され、当該第１雄ネジ部より小径の第２雄ネジ部、当該第２雄ネジ部側の端部に形成された当接部、当該当接部の端面に形成された第２回転部を有する吊持・押付けボルトと、
前記吊持・押付けボルトの前記第２雄ネジ部に螺合して前記接地部を吊り上げる吊上げナットと、
を備え、
前記吊持・押付けボルトの前記当接部は、前記スタッドの前記穴部の内部に形成される被当接部に当接し、
前記吊持・押付けボルトの前記第１雄ネジ部が前記スタッドの前記雌ネジ部に完全に螺合するとき、当該吊持・押付けボルトの前記第２雄ネジ部が前記本体部の前記底板から上方に突出し、
前記吊持・押付けボルトの前記当接部が前記スタッドの前記穴部の内部に形成された前記被当接部に当接して前記接地部を床面に押し付けるとき、当該吊持・押付けボルトの前記第１雄ネジ部側の端面が前記本体部の前記底板から上方に突出しない、転倒防止機能を有する家具。
【請求項１２】
請求項１に記載の転倒防止機能を有する家具において、
前記連結手段は、前記本体部に対して前記接地部を固定する固定手段を備える、転倒防止機能を有する家具。
【請求項１３】
請求項１２に記載の転倒防止機能を有する家具において、
前記固定手段は、
前記本体部の底面に穿かれた貫通穴と、
前記接地部を構成する接地板の上面に刻設された雌ネジ部と、
前記接地部を前記本体部に固定する固定ねじと、を備える、転倒防止機能を有する家具。
【請求項１４】
請求項２又は３に記載の転倒防止機能を有する家具において、
前記接地部を構成する接地板と前記本体部の底板との間に、
前記底板の下面と前記接地板の上面のいずれか一方に横断面方向に湾曲した凸面を有する第１凸部が設けられ、
前記底板の前記下面と前記接地板の前記上面の他方に横断面方向に湾曲した凹陥面を有し、常時前記第１凸部に当接している第２凹部が対向するように設けられており、
前記第１凸部と前記第２凹部とは、前記接地板に設けられた前記連結部との連結点に対して、前記本体部の重心を通る鉛直線を挟んでその反対側に位置すると共に、当該接地板と当該本体部の前記底板の幅方向の全長に連続して、あるいは当該幅方向の一部に分断して配置されていて、
前記第１凸部の前記凸面が前記第２凹部の前記凹陥面に当接している平常時の状態では、当該第１凸部及び当該第２凹部の近傍の前記台輪の底面が床面から浮き上がっている、転倒防止機能を有する家具。
【発明の詳細な説明】
【技術分野】
【０００１】
本発明は、地震等の揺れで家具が大きく傾いて転倒するのを防止する転倒防止機能を有する家具に関し、特に、家具底部の台輪の内部空間と家具の背面側の空間を利用した家具の外観を害しない転倒防止機能を有する家具に関する。
【背景技術】
【０００２】
タンス、食器棚、本棚等に適用される箱物家具は、天板、底板、左右の側板、背板、棚板等を備える本体部と、本体部と床面との間に配置されて本体部を支承する台輪とを備えている。そして、婚礼家具等では、本体部と台輪が切り離されて別体に構成されているものが多く、食器棚や本棚等では、本体部と台輪とが当初から組み付けられて一体に構成されているものが多く存在する。
【０００３】
ところで、洋服タンスや食器棚あるいは本棚等の背丈の高い家具の場合には、地震等の揺れで家具が大きく傾いて転倒する恐れがある。従って、従来から、製品に付属する形で、或いは、家具の設置後、後付けする形で、転倒防止装置が使用されている。このような転倒防止装置の多くは、金具やチェーン等を使用してネジで部屋の壁や床面等に固定するもの、或いは、家具の本体部の天板と部屋の天井との間に設置する突張り棒等を使用したものであり、いずれも家具の外観を損ねる態様となっていた。
【０００４】
一方、特許文献１に示すように、家具の外観に現れない家具底部の台輪内部の空間を利用して設置するタイプの転倒防止家具も提案されている。この転倒防止家具は、台輪の内壁面にブラケット材を固定ネジで固定し、アングル材を介して上記ブラケット材に錘となる鋼板類を支持させてボルト、ナットを使用して固定したものである。従って、家具の重心を錘となる鋼板類で下げることによって地震等の揺れによって生ずる家具の転倒を防止している。
【先行技術文献】
【特許文献】
【０００５】
【特許文献１】特開２００７−１３０４３３号公報
【発明の概要】
【発明が解決しようとする課題】
【０００６】
しかし、特許文献１に開示されている転倒防止家具の場合、鋼板類をブラケット材に固定するために行うボルト、ナットの締付け作業を台輪の開放された上面側と下面側の両方で行わなければならない。従って、本体部と台輪とが一体に構成された家具の場合、家具の製造段階で鋼板類を組み付けなければならず、鋼板類を組み付けて重量が重くなった家具の移動や運搬、現場での据付け作業は困難を極める。
【０００７】
また、本体部と台輪とが別体に構成された家具の場合、据付け現場での鋼板類の組み付けも可能であるが、一旦、据え付けた家具を移動する場合も少なくない。従って、この場合にも鋼板類を組み付けて重量が重くなった家具を移動したり、位置決め作業をやり直さなければならず、作業者にとって負担が大きく煩わしい作業になっていた。
【０００８】
そこで、本発明が解決しようとする課題は、部屋の壁や床面等を傷付けることなく、また、家具の外観を害することなく、設置が可能で、設置後の家具の移動が容易で、耐震性に優れた転倒防止機能を有する家具を提供することである。
【課題を解決するための手段】
【０００９】
上記課題を解決するために、本発明の請求項１に記載の転倒防止機能を有する家具は、物を収納する本体部と、本体部と床面との間に配置されて本体部を支承する台輪とを備え、台輪の内部空間内で床面に配置される接地部と、接地部を本体部に連結する連結手段とを備えることを特徴とする。
【００１０】
本発明の請求項２に記載の転倒防止機能を有する家具は、請求項１に記載の転倒防止機能を有する家具において、台輪は、本体部の背面側に開口部が形成されており、一端が接地部に連結され、他端が開口部から本体部の背面を通って背面の上部に連結される連結部を更に備えることを特徴とする。
【００１１】
本発明の請求項３に記載の転倒防止機能を有する家具は、請求項２に記載の転倒防止機能を有する家具において、連結部は、接地部に取り付けられる第１連結具と、本体部の背面側の上部に取り付けられる第２連結具と、第１連結具と第２連結具との間に張設される連結ワイヤとを備えることを特徴とする。
【００１２】
本発明の請求項４に記載の転倒防止機能を有する家具は、請求項１乃至３のいずれか一項に記載の転倒防止機能を有する家具において、接地部は、台輪とは別体に設けられる接地板と、接地板の下面に取り付けられ、床面に密着されることで粘着力を発揮する粘着マットとを備えることを特徴とする。
【００１３】
本発明の請求項５に記載の転倒防止機能を有する家具は、請求項４に記載の転倒防止機能を有する家具において、接地板と本体部の底板との間に、接地板を床面に押し付ける押付け手段が設けられていることを特徴とする。
【００１４】
本発明の請求項６に記載の転倒防止機能を有する家具は、請求項５に記載の転倒防止機能を有する家具において、押付け手段は、接地板の上面に設けられた押付けスタッドであって、穴部を備えた押付けスタッドと、本体部の底板に埋め込まれた押付けナット部と、押付けナット部に螺合する雄ネジ部と、雄ネジ部側の端面に形成された回転部と、回転部とは反対側の端部に形成された当接部とを有する押付けボルトとを備え、押付けボルトの当接部は、押付けスタッドの穴部の内部に形成される被当接部に当接し、押付けボルトの当接部が押付けスタッドの穴部の内部に形成された被当接部に当接して接地部を床面に押し付けるとき、押付けボルトの雄ネジ部側の端面が本体部の底板から上方に突出しないことを特徴とする。
【００１５】
本発明の請求項７に記載の転倒防止機能を有する家具は、請求項５又は６に記載の転倒防止機能を有する家具において、接地板と本体部の底板との間に、接地部を吊持状態で保持し、位置決め完了後に吊持状態を解除する吊持手段が設けられていることを特徴とする。
【００１６】
本発明の請求項８に記載の転倒防止機能を有する家具は、請求項７に記載の転倒防止機能を有する家具において、吊持手段は、接地板の上面に設けられた吊持スタッドであって、内部に雌ネジ部が刻設された吊持スタッドと、本体部の底板に設けられた吊持部と、第１雄ネジ部、及び、第１雄ネジ部と同軸で吊持スタッドの雌ネジ部に螺合する第２雄ネジ部、第１雄ネジ部側の端面に形成された回転部を有する吊持ボルトと、吊持ボルトの第１雄ネジ部に螺合して接地部を吊り上げる吊上げナットとを備えることを特徴とする。
【００１７】
本発明の請求項９に記載の転倒防止機能を有する家具は、請求項４に記載の転倒防止機能を有する家具において、接地板と本体部の底板との間に、接地部を吊持状態で保持し、位置決め完了後に吊持状態を解除する吊持作用、及び、吊持状態が解除された接地部の接地板を床面に更に押し付ける押付け作用を併せ持つ吊持・押付け手段が設けられていることを特徴とする。
【００１８】
本発明の請求項１０に記載の転倒防止機能を有する家具は、請求項９に記載の転倒防止機能を有する家具において、吊持・押付け手段は、接地板の上面に設けられたスタッドであって、穴部を備え、穴部の側面に刻設された所定の深さの雌ネジ部、及び、雌ネジ部の奥に形成され雌ネジ部の谷径より大径の逃げ部を備えたスタッドと、本体部の底板に埋め込まれ、スタッドの雌ネジ部と同径の雌ネジ部を有するナット部と、一方の端部に形成された当接部、及び、スタッドの雌ネジ部に螺合する第１雄ネジ部、第１雄ネジ部の谷径より小径の軸部、軸部を挟んで第１雄ネジ部とは反対側に形成された第２雄ネジ部、当接部とは反対側の端部に形成された回転部を有する吊持・押付けボルトと、吊持・押付けボルトの第２雄ネジ部に螺合して接地部を吊り上げる吊上げナットとを備え、吊持・押付けボルトの当接部は、スタッドの穴部の内部に形成される被当接部に当接し、吊持・押付けボルトの第１雄ネジ部のねじ長さは、スタッドの逃げ部の軸方向長さより短く、吊持・押付けボルトの軸部は、スタッドの雌ネジ部の下側端面とナット部の雌ネジ部の上側端面との間の距離より長く形成され、接地部を吊持ちするために、吊持・押付けボルトの第１雄ネジ部がスタッドの雌ネジ部に螺合するとき、吊持・押付けボルトの第２雄ネジ部が本体部の底板から上方に突出し、吊持・押付けボルトの当接部がスタッドの穴部の内部に形成された被当接部に当接して接地部を床面に押し付けるとき、吊持・押付けボルトの第２雄ネジ部側の端面が本体部の底板から上方に突出しないことを特徴とする。
【００１９】
本発明の請求項１１に記載の転倒防止機能を有する家具は、請求項９に記載の転倒防止機能を有する家具において、吊持・押付け手段は、接地板の上面に設けられたスタッドであって、穴部を備え、穴部の側面に所定の深さの雌ネジ部が刻設されたスタッドと、本体部の底板に埋め込まれたナット部であって、スタッドの雌ネジ部と同径の雌ネジ部を有するナット部と、スタッドの雌ネジ部に螺合する第１雄ネジ部、及び、第１雄ネジ部側の端面に形成された第１回転部、第１雄ネジ部と同軸で反対側に形成され、第１雄ネジ部より小径の第２雄ネジ部、第２雄ネジ部側の端部に形成された当接部、当接部の端面に形成された第２回転部を有する吊持・押付けボルトと、吊持・押付けボルトの第２雄ネジ部に螺合して接地部を吊り上げる吊上げナットとを備え、吊持・押付けボルトの当接部は、スタッドの穴部の内部に形成される被当接部に当接し、吊持・押付けボルトの第１雄ネジ部がスタッドの雌ネジ部に完全に螺合するとき、吊持・押付けボルトの第２雄ネジ部が本体部の底板から上方に突出し、吊持・押付けボルトの当接部がスタッドの穴部の内部に形成された被当接部に当接して接地部を床面に押し付けるとき、吊持・押付けボルトの第１雄ネジ部側の端面が本体部の底板から上方に突出しないことを特徴とする。
【００２０】
上記課題を解決するために、本発明の請求項１２に記載の転倒防止機能を有する家具は、請求項１に記載の転倒防止機能を有する家具において、連結手段は、本体部に対して接地部を固定する固定手段を備えることを特徴とする。
【００２１】
上記課題を解決するために、本発明の請求項１３に記載の転倒防止機能を有する家具は、請求項１２に記載の転倒防止機能を有する家具において、固定手段は、本体部の底面に穿かれた貫通穴と、接地板の上面に刻設された雌ネジ部と、接地部を本体部に固定する固定ねじとを備えることを特徴とする。
【００２２】
上記課題を解決するために、本発明の請求項１４に記載の転倒防止機能を有する家具は、請求項２又は３に記載の転倒防止機能を有する家具において、接地板と本体部の底板との間に、底板の下面と接地板の上面のいずれか一方に横断面方向に湾曲した凸面を有する第１凸部が設けられ、底板の下面と接地板の上面の他方に横断面方向に湾曲した凹陥面を有し、常時第１凸部に当接している第２凹部が対向するように設けられており、第１凸部と第２凹部とは、接地板に設けられた連結部との連結点に対して、本体部の重心を通る鉛直線を挟んでその反対側に位置すると共に、接地板と本体部の底板の幅方向の全長に連続して、あるいは幅方向の一部に分断して配置されていて、第１凸部の凸面が第２凹部の凹陥面に当接している平常時の状態では、第１凸部及び第２凹部の近傍の台輪の底面が床面から浮き上がっていることを特徴とする。
【発明の効果】
【００２３】
本発明の転倒防止機能を有する家具によれば、地震等の揺れが発生して家具が前方に転倒するような力を受けたとき、最も大きな応力が加わる床面と家具の台輪の接地面との間に家具の転倒を防止する抗力を作用させるのではなく、台輪の内部空間内で配置され、家具とは別体に設けられた大面積の接地部が床面に対して有する押付け力を抗力として家具を支えるので、家具の転倒を効果的に防止することが可能になる。
【００２４】
また、本発明の転倒防止機能を有する家具によれば、接地部が床面に対して有する粘着力を、連結部を介して家具の背面側の上部の応力が最も小さくなる部位に抗力として作用させるので、家具の転倒を効果的に防止することが可能になる。
【００２５】
更に、本発明の転倒防止機能を有する家具の構成部材の一つである接地部は、家具の外観に現れない台輪の内部空間に配置され、本発明の他の構成部材である連結部も、同じく、家具の外観に現れない家具の背面側の空間を利用して配置されているので、家具の外観を害することもない。
【００２６】
更にまた、連結部を接地部に取り付けられる第１連結具と、本体部の背面側の上部に取り付けられる第２連結具と、第１連結具と第２連結具との間に張設される連結ワイヤとを備えることによって構成した場合には、シンプルな構造で場所を取らない連結部を備える転倒防止機能を有する家具を提供できる。
【００２７】
更にまた、家具の本体部及び台輪とは別体に設けられる接地板と、接地板の下面に取り付けられ、床面に密着されることで粘着力を発揮する粘着マットとを備えることによって接地部を構成した場合には、部屋の床面や壁面を傷付けることなく接地部を配置することが可能になる。
【００２８】
更にまた、接地板と本体部の底板との間に、接地板を床面に押し付ける押付け手段を設けた場合には、粘着マットの床面に対する密着力が高まって接地部の床面に対する粘着力が増大し、大きな揺れにも耐えられる転倒防止機能を有する家具が提供できるようになる。
【００２９】
そして、接地板の上面に設けられ、被当接部を備えた押付けスタッドと、本体部の底板に埋め込まれた押付けナット部と、押付けナット部に螺合する雄ネジ部、及び、接地板の上面に設けられた押付けスタッドの被当接部に当接する当接部を有する押付けボルトとを備えた場合には、押付けボルトを所定の方向に回してその雄ネジ部を押付けナット部に締め付けることによって、押付けボルトの当接部が下降して接地板の上面の被当接部に当接して押し付け力を発揮できるようになる。従って、本体部の底板の上方からの操作によって接地部の押し付け力の調整が可能な小型でシンプルな構造の押付け手段を提供できるようになる。
【００３０】
また、接地板と本体部の底板との間に、接地板を吊持状態で保持し、位置決め完了後に吊持状態を解除する吊持手段を設けた場合には、接地板を吊持状態で保持した状態で家具と共に運搬又は移動することが可能になり、位置決め完了後は吊持状態を解除することが可能であるから、接地板の配置が容易になる。
【００３１】
そして、吊持手段を、吊持スタッドと、吊持部と、吊持ボルトと、吊上げナットとを備えることによって構成した場合には、吊持ボルトの第２雄ネジ部に対する吊上げナットの締め付け具合を調節することによって接地板の吊持状態と吊持解除状態とを切り替えることが可能になる。また、本体部の底板の上方からの操作によって接地板の各状態の切り替えが可能な小型でシンプルな構造の吊持手段を提供できるようになる。
【００３２】
また、接地板と本体部の底板との間に、接地板を吊持状態で保持し、位置決め完了後に吊持状態を解除する吊持作用と、吊持状態が解除された接地板を更に床面側に押し付ける押付け作用とを併せ持つ吊持・押付け手段を設けた場合には、接地板の配置が容易であり、大きな揺れに耐えられる優れた粘着力を有する単一構造の吊持・押付け手段を備える転倒防止機能を有する家具が提供できるようになる。
【００３３】
そして、吊持・押付け手段を、スタッドと、ナット部と、吊持・押付けボルトと、吊上げナットとを備えることによって構成した場合には、吊持・押付けボルトの第２雄ネジ部に対する吊上げナットの締め付け具合を調節することによって接地板の吊持状態と吊持解除状態と押付け状態とを切り替えることが可能になる。また、本体部の底板の上方からの操作によって接地板の各状態の切り替えが可能な、より小型で、シンプルな構造の吊持・押付け手段が提供できるようになる。
【００３４】
また、本発明の転倒防止機能を有する家具によれば、固定手段を介して、接地部が床面に対して有する粘着力を本体部に作用させるので、家具の転倒を効果的に防止することが可能になる。
【００３５】
そして、固定手段を、本体部の底面に穿かれた貫通穴と、接地板の上面に刻設された雌ネジ部と、接地部を本体部に固定する固定ねじとを備える構成とした場合、家具の背面側の空間を利用することなく接地部を本体部に固定できるので、家具設置の際の制約を軽減できる。また、固定ねじの取り外し作業も家具の前方から行えるので、設置後の家具の移動が容易になる。
【００３６】
また、接地板と本体部の底板との間に第１凸部と第２凹部とを対向するように設け、第１凸部と第２凹部とは、接地板に設けられた連結部との連結点に対して本体部の重心を通る鉛直線を挟んでその反対側に位置させて、第１凸部の凸面が第２凹部の凹陥面に当接している平常時の状態では、第１凸部と第２凹部の近傍の台輪の底面が床面から浮き上がっている場合には、地震等の揺れが発生して家具が前方に転倒するような力を受けたとき、平常時の状態よりも大きい家具の自重が接地板を介して床面に印加され、その結果、接地板は床面に対して移動せず、接地部に取り付けられた連結部の働きにより、家具の転倒を防止できる。
【００３７】
また、上記第１凸部と第２凹部を設けたことによって家具の姿勢が幾分、後方に傾いた姿勢で保持されることになるから、地震等の揺れの発生によって生ずる家具の前方への転倒のおそれが更に軽減される。
【図面の簡単な説明】
【００３８】
【図１】本発明に係る転倒防止家具の据付け状態を示す正面図である。
【図２】図１に示す転倒防止家具の側断面図である。
【図３】本発明の第１実施形態に係る転倒防止家具を示す図で、図１中のＡ−Ａ断面図である。
【図４】本発明の第１実施形態に係る転倒防止家具を示す図で、図３中のＢ−Ｂ断面図である。
【図５】図１に示す転倒防止家具を示す図で、第１連結金具と連結ワイヤの一端部の係止状態を示す斜視図（ａ）と、第２連結金具と連結ワイヤの他端部の係止状態を示す斜視図（ｂ）である。
【図６】図１に示す転倒防止家具を示す図で、転倒防止家具の設置作業の過程を（ａ）吊持状態、（ｂ）吊持解除状態、（ｃ）押付け状態の３段階に分けて示す説明図である。
【図７】本発明の第３実施形態に係る転倒防止家具の台輪周辺を拡大して示す図で、図１３中のＣ−Ｃ正断面図である。
【図８】図７に示す転倒防止家具の設置作業の過程を（ａ）吊持状態、（ｂ）吊持解除状態、（ｃ）押付け状態の３段階に分けて示す説明図である。
【図９】本発明の第４実施形態に係る転倒防止家具の台輪周辺を拡大して示す側断面図である。
【図１０】図９に示す転倒防止家具を示す図で、第１凸部と第２凹部の２種の配置態様（ａ）（ｂ）を示す分解斜視図である。
【図１１】本発明の第２実施形態に係る転倒防止家具の台輪周辺を拡大して示す正断面図である。
【図１２】図１１に示す転倒防止家具の設置作業の過程を（ａ）吊持状態、（ｂ）吊持解除状態、（ｃ）押付け状態の３段階に分けて示す説明図である。
【図１３】本発明の第３実施形態に係る転倒防止家具を示す図で、図１中のＡ−Ａ断面図である。
【発明を実施するための形態】
【００３９】
以下、本発明に係る転倒防止機能を有する家具の一例としての転倒防止家具の構成を図１及び図２を用いて説明し、転倒防止家具の設置作業の過程と効果について図３〜図６に示す第１実施形態と、図１１及び図１２に示す第２実施形態、図７及び図８に示す第３実施形態の３つの実施形態を例にとって具体的に説明する。
【００４０】
転倒防止家具１は、一例として、収納物Ａを収納したり載置物Ｂを載置したりする本体部３と、本体部３の下方の床面５との間に配置されて本体部３を支承する台輪７とが一体に構成された、図１及び図２に示すような箱物の家具が該当する。
【００４１】
転倒防止家具１は、天板１１と、底板１２と、左右の側板１３、１４と、背板１５と、複数の棚板１６と、扉１７と、引き出し１９とを備えた本体部３を有する。また、転倒防止家具１は、本体部３の下方の床面５との間に、一例として４枚の枠板２１を矩形枠状に配置して組み合わせた内寸の高さが一例として７０ｍｍ程度の台輪７を有している。
【００４２】
また、接地部３１は、本体部３及び台輪７とは別体に設けられた接地板３３と、接地板３３の下面に取り付けられ、床面５に密着されることで粘着力を発揮する粘着マット３５とを備えることによって一例として構成されている。
【００４３】
接地部３１の接地板３３は、一例として１８ｍｍ厚のべニア合板によって形成されており、接地板３３の下面のコーナ部には、一例として四角形平板材料によって形成されている粘着マット３５貼付用の取付けプレート３７が取付けナット３９（例えば蝶ナット）で接地板３３の下面に対して取り付けられている（後述）。
【００４４】
取付けプレート３７は、貼付した粘着マット３５を容易に剥せないように粘着マット３５との密着性が優れた材料が好ましく、本実施形態では一例としてステンレス鋼板を使用している。そして、取付けプレート３７は、粘着マット３５が貼付される面とは反対の面にボルト部（不図示）が設けられており、上述の通り、取付けナット３９で接地板３３に取り付けられている。
【００４５】
粘着マット３５は、床面５に密着されることで粘着力を発揮する種々の材料（例えばスチレンポリマー）が適用でき、本実施形態では一例として北川工業株式会社製造の商品名「タックフィット」の型番ＴＫ−１００Ｋ（厚さ：５ｍｍ）を使用した。
【００４６】
第１実施形態（図３〜図６参照）
第１実施形態に係る転倒防止家具１Ａは、図３に示すように台輪７の内部空間における背面寄りのスペースに、幅方向Ｘに長く、奥行き方向Ｙに短い一例として矩形平板状の接地部３１を備えている。また、転倒防止家具１Ａは、台輪７の内部空間の床面５に配置される接地部３１と、一端が接地部３１に連結され、他端が台輪７に形成された開口部２３から本体部３の背面を通って背面の上部に連結される、連結手段の一例としての連結部６１とを備えて構成されている。更に、転倒防止家具１Ａは、台輪７の背面側の枠板２１の一部に、連結部６１の主要な構成部材である連結ワイヤ６３（後述）を台輪７の内部空間から外部に引き出すための開口部２３が形成されている。
【００４７】
また、本実施形態では、連結部６１は、一例として、接地板３３の上面の一例として台輪７の背面寄りの縁部の中央に取り付けられた第１連結具の一例としての第１連結金具６５と、本体部３の背面側の上部（一例として天板１１の背面寄りの縁部の中央）に取り付けられた第２連結具の一例としての第２連結金具７３（図５（ｂ））と、第１連結金具６５と第２連結金具７３との間に張設される連結ワイヤ６３とを備えて構成されている。
【００４８】
そして、本実施形態では、第１連結金具６５として図５（ａ）に示すように取付けネジ７１で接地板３３に取り付けられる矩形平板状をした座板６７と、座板６７の上面から上方に立ち上げられている逆Ｕ字形をした係止リング６９とを備えた構成のものが使用されている。第２連結金具７３として図５（ｂ）に示すようにＬ字状に折り曲げた薄板材料の一端寄りに取付けネジ７７を使用して天板１１に取り付けるため図示しない取付け穴を有し、薄板材料の他端寄りに連結ワイヤ６３の他端部を係止するための長穴７５が形成された構成のものが使用されている。連結ワイヤ６３としては、金属製のワイヤや釣り用のテグス等が一例として適用可能である。
【００４９】
また、本実施形態では、接地板３３と本体部３の底板１２との間に、接地板３３を床面５側に押し付ける押付け手段４１と、接地板３３を吊持状態で保持し、位置決め完了後に吊持状態を解除して床面５上に接地板３３を落とす吊持手段５１とが設けられている。また、押付け手段４１は、図３及び図４に示すように台輪７の幅方向Ｘの左右に二組設けられている。
【００５０】
押付け手段４１は、図４及び図６に示されるように、接地板３３の上面に設けられ、被当接部４７ｂを備えた押付けスタッド４７と、底板１２に取り付けられた押付けナット部４３と、押付けナット部４３に螺合する雄ネジ部４５ａ、及び、押付けスタッド４７の穴部４７ａ底面の被当接部４７ｂに当接する当接部４５ｂを有する押付けボルト４５とを備えて構成されている。
【００５１】
押付けナット部４３は、本体部３の底板１２に埋め込まれて形成されている。押付けナット部４３は、後述する押付けボルト４５の雄ネジ部４５ａのねじ径と同じねじ径の雌ネジ部（例えばＭ８）を有する。
【００５２】
押付けボルト４５は、押付けナット部４３に螺合する雄ネジ部４５ａ（例えばＭ８）と、雄ネジ部４５ａの軸線の先端に形成された当接部４５ｂとを有する。また、押付けボルト４５は、当接部４５ｂが押付けスタッド４７の被当接部４７ｂに当接し更に適切な押し付け力を発揮するときに（後述）、当接部４５ｂとは反対側の端部が本体部３の底面１２から上方に突き出ないような長さを有する。更に、押付けボルト４５は、当接部４５ｂとは反対側の端部に、マイナスドライバのための回転部の一例としてのドライバ溝４５ｃが彫られている。ドライバ（不図示）を回すことによって雄ネジ部４５ａと押付けナット部４３との螺合位置を変えて、押付けボルト４５先端の当接部４５ｂの高さ方向Ｚの位置調整ができるように、その結果、当接部４５ｂが当接する押付けスタッド４７の被当接部４７ｂの高さ方向Ｚの位置調整ができるように構成されている。
【００５３】
ここで、押付けボルト４５は、当接部４５ｂが押付けスタッド４７の被当接部４７ｂに当接した後、ドライバ（不図示）を例えば更に２回しすることで、粘着マット３５に適切な押し付け力が発生するように、雄ネジ部４５ａのリードと粘着マット３５の種類が選択されている。
【００５４】
押付けスタッド４７は、一例として下端部にフランジ状の座板４７ｃを備える六角柱形状の部材で、押付けスタッド４７の中心の上面から所定深さの穴部４７ａ（例えばφ６．５）が形成されている。押付けスタッド４７は、穴部４７ａの底面に被当接部４７ｂを有している。また、押付けスタッド４７は、後述する吊持スタッド５３より短く形成されている。
【００５５】
一方の吊持手段５１は、内部に雌ネジ部５３ａが刻設された吊持スタッド５３と、底板１２に設けられた吊持部５５と、後述する吊上げナット５９に螺合する第１雄ネジ部５７ａ、及び、吊持スタッド５３の雌ネジ部５３ａに螺合する第２雄ネジ部５７ｂを有する吊持ボルト５７と、吊持ボルト５７の第１雄ネジ部５７ａに螺合する吊上げナット５９とを備えて構成されている。
【００５６】
吊持スタッド５３は、六角柱形状の部材で、接地板３３の上面にフランジ状の座板５３ｃを介して設けられ、内部に雌ネジ部５３ａが刻設されて構成される。雌ネジ部５３ａは、後述する吊持ボルト５７の第２雄ネジ部５７ｂのねじ径と同じねじ径（例えばＭ１０）を有する。また、吊持スタッド５３が接地板３３の上面に設けられ、接地部３１が台輪７の内部空間内で床面５に配置されるとき、吊持スタッド５３は、接地部３１を吊り上げるのに充分な距離（例えば１０ｍｍ）だけ吊持スタッド５３の上面と本体部３の底面１２とが離間するような長さを有している。上述したように、吊持ちスタッド５３は押付けスタッド４７より長く形成されているので、吊持スタッド５３の上面と本体部３の底面１２の下面との当接が押付けスタッド４７により妨げられることはない。
【００５７】
吊持部５５は、本体部３の底板１２に設けられ、吊持スタッド５３の雌ネジ部５３ａのねじ径（Ｍ１０）及び吊持ボルト５７の第２雄ネジ部５７ｂのねじ径（Ｍ１０）より大径（例えばφ１２）の孔部を有して構成される。
【００５８】
吊持ボルト５７は、第１雄ネジ部５７ａと、第１雄ネジ部５７ａと同軸で吊持スタッド５３の雌ネジ部５３ａに螺合する第２雄ネジ部５７ｂ（例えばＭ１０）とを有して構成される。ここで、第２雄ネジ部５７ｂは、本体部３の底面１２の厚さと同程度のねじ長を有する。第１雄ネジ部５７ａのねじ径は、第２雄ネジ部５７ｂのねじ径と同径に形成される（例えばＭ１０）。また、吊持ボルト５７は、第１雄ネジ部５７ａ側の端部に、マイナスドライバのための回転部の一例としてのドライバ溝５７ｃが彫られている。更に、吊持ボルト５７は、第１雄ネジ部５７ａに吊上げナット５９が螺合して接地部３１を吊り上げるのに充分な長さを有する。吊上げナット５９は、吊持ボルト５７の第１雄ネジ部５７ａに螺合して、接地部３１を吊り上げる。尚、吊持ちボルトは、第１雄ネジ部のねじ径が第２雄ネジ部のねじ径より小さく形成される構成でもよい。
【００５９】
吊持手段５１も押付け手段４１と同様、図３及び図４に示すように台輪７の幅方向Ｘの左右に二組設けられており、本実施形態では押付け手段４１の内方の位置に二組の吊持手段５１が配置されている。
【００６０】
次に、図６に基づいて、このようにして構成される第１実施形態に係る転倒防止家具１Ａが取り得る状態を説明する。
【００６１】
（Ａ）吊持状態（図６（ａ）参照）
転倒防止家具１Ａを据え付ける前の段階では、図６（ａ）に示すように、吊持スタッド５３の上面が本体部３の底面１２の下面に当接するまで吊持ボルト５７が接地部３１を上方に吊上げている。これにより、接地部３１は、床面５から浮いた吊持状態で転倒防止家具１Ａに固定されて本体部３及び台輪７と一体になっている。吊持ボルト５７の第２雄ネジ部５７ｂは、吊持スタッド５３の雌ネジ部５３ａに螺合接続されており、吊持ボルト５７の第１雄ネジ部５７ａは、吊上げナット５９に螺合接続されている。
【００６２】
（Ｂ）吊持解除状態（図６（ｂ），（ｃ）参照）
本体部３と台輪７が一体に構成されている場合には、転倒防止家具１Ａ全体を据付け位置に移動し、引き出し１９（図２）等がある場合には引き抜いて、最下段の底板１２の上方空間を開放させた後、以下に述べる作業を実施する。また、本体部３と台輪７が別体に構成されている場合には、最初に台輪７のみを転倒防止家具の据付け位置に移動して以下に述べる作業を実施する。
【００６３】
先ず、左右の吊上げナット５９の操作グリップ５９ａを持って、吊上げナット５９を所定の方向に回して接地部３１を下げる（図６（ｂ））。接地板３３の下面に取り付けられた粘着マット３５が床面５に接触したら（吊持解除）、吊上げナット５９を更に回して吊持ボルト５７から取り外す。そして、ドライバ（不図示）を使って吊持ボルト５７を所定の方向に回し、吊持ボルト５７の第２雄ネジ部５７ｂと吊持スタッド５３の雌ネジ部５３ａとの螺合状態を解除する。その後、吊持部５５の孔部を通過させて、吊持ボルト５７を上方に引き抜いて取り外す（図６（ｃ））。取り外した吊上げナット５９と吊持ボルト５７とは、設置した転倒防止家具１Ａの将来の移動に備えて保管しておく。
【００６４】
（Ｃ）押付け状態（図６（ｃ）参照）
次に、ドライバ（不図示）を使って押付けボルト４５を所定の方向に回して、雄ネジ部４５ａを押付けナット部４３に螺合させて下方に移動させる。押付けボルト４５先端の当接部４５ｂは、押付けスタッド４７の穴部４７ａ内に進入し、当接部４５ｂが穴部４７ａの底部の被当接部４７ｂに当接すると、接地板３３を床面５側に押し付ける押し付け力が押付けスタッド４７を介して接地板３３に加わる。更に、押付けボルト４５を締め付けると、粘着マット３５に圧力が加わり、粘着マット３５を圧縮して床面５に密着させた状態になる（図６（ｃ））。
【００６５】
次に、転倒防止家具１Ａにおける各種作業を、流れに従って説明する。
【００６６】
（台輪の内部空間に接地部を取り付ける作業）
１．粘着マット３５を取付けプレート３７に貼り付ける。取付けナット３９を使用して、粘着マット３５及び取付けプレート３７を接地板３３に取り付ける。これにより、接地部３１の組み立てが完了する。
２．粘着マット３５の下面の非粘着シート（不図示）を剥離した後、粘着マット３５（５ｍｍ厚）及び取付けプレート３７（１ｍｍ厚）よりも厚い板（例えば、８ｍｍ厚の板、不図示）の上に、粘着マット３５が厚い板（不図示）に触れないように、接地部３１を置く。これにより、粘着マット３５が床面５から離れた状態で、接地部３１を床面５の上に置くことが可能となる。
３．接地板３３に取り付けられた第１連結金具６５の係止リング６９に連結ワイヤ６３を係止させ、台輪７の枠板２１の開口部２３を通して転倒防止家具１Ａの背面側に出した状態で、接地部３１を台輪７の内部空間に配置する。
４．吊持ボルト５７を、第２雄ネジ部５７ｂを下にして吊持手段５１の位置にセットする。具体的には、吊持ボルト５７の第２雄ネジ部５７ｂを、本体部３の底板１２に設けられた吊持部５５の孔部に通し、その後、例えばマイナスドライバ（不図示）を吊持ボルト５７のドライバ溝５７ｃに係合させて吊持ボルト５７を回し、接地板３３の上面に取り付けられた吊持スタッド５３の雌ネジ部５３ａに最後まで螺合させる。このとき、吊持ボルト５７は、吊持部５５の孔部を通り抜けて、第１雄ネジ部５７ａが本体部３の底板１２から上方に突き出ている。
５．本体部３の底板１２から上方に突き出ている吊持ボルト５７の第１雄ネジ部５７ａに吊上げナット５９を取り付けて回すことで、接地部３１を台輪７の内部空間内で吊り上げて、吊持スタッド５３の上面を本体部３の底面１２の下面に当接させている（図６（ａ））。このとき、吊持ボルト５７のドライバ溝５７ｃにドライバ（不図示）を係合させて吊持ボルト５７の回転を防いでも良い。これにより、接地部３１は台輪７の内部空間内で浮いた吊持状態となり、上述の厚い板（不図示）を除去することが可能となる。そして、転倒防止家具１Ａを、接地部３１と一体として所望の位置に移動して配置することが可能となる。吊持ボルト５７の第１雄ネジ部５７ａに吊上げナット５９が取り付いた状態で本体部３の底板１２から上方に突き出ているので、本体部３と台輪７とが一体に構成されている場合、転倒防止家具１Ａの最下段の引き出し１９（図２）を使用できず、引き出し１９を取り外した状態での転倒防止家具１Ａの移動作業となる。
【００６７】
（転倒防止家具を設置する作業）
１．転倒防止家具１Ａを所望の位置に配置する。
２．吊上げナット５９を吊り上げ時とは反対の方向に回転して吊持状態を解除し、台輪７の内部空間内で浮いた状態にあった接地部３１を床面５に下ろす。このとき、吊持ボルト５７のドライバ溝５７ｃにドライバ（不図示）を係合させて吊持ボルト５７の回転を防いでも良い。
３．吊持ボルト５７の第１雄ネジ部５７ａから吊上げナット５９を外す。そして、上述のドライバ（不図示）を吊持ボルト５７の回転部に係合して回すことで、第２雄ネジ部５７ｂが吊持スタッド５３の雌ネジ部５３ａに螺合していた吊持ボルト５７を吊持スタッド５３から取り外し、更に、吊持部５５の孔部からも抜き取る。即ち、吊持ボルト５７を吊持手段５１から取り外す。取り外した吊上げナット５９と吊持ボルト５７を顧客に渡し、将来の移動に備えて保管して頂く。
４．次に、押付けボルト４５を押付け手段４１の位置にセットする。具体的には、ドライバ（不図示）を押付けボルト４５のドライバ溝４５ｃに係合させて、押付けボルト４５の雄ネジ部４５ａを、本体部３の底板１２に埋め込まれた押付けナット部４３に螺合させ、押付けボルト４５の当接部４５ｂを押付けスタッド４７の内部の被当接部４７ｂに当接させる。
５．そして、粘着マット３５に適切な押し付け力が発生するように、上述のドライバ（不図示）を使って押付けボルト４５を更に回す。これにより、転倒防止家具１Ａと接地部３１とは一体となる。このとき、押付けボルト４５は本体部３の底板１２から上方に突き出ないので、転倒防止家具１Ａの最下段の引き出し１９（図２）は使用可能となる。
６．続いて、台輪７の背面の枠板２１における開口部２３から出ている連結ワイヤ６３の他端を、転倒防止家具１Ａの背面側の壁面６との間の空間に引き出し、更に高さ方向Ｚに繰り出して、転倒防止家具１Ａの天板１１に取り付けられた第２連結金具７３の長穴７５に係止させる。
【００６８】
（既に設置されている転倒防止家具を移動する作業）
１．転倒防止家具１Ａの天板１１に取り付けられた第２連結金具７３の長穴７５から連結ワイヤ６３を取り外す。また、転倒防止家具１Ａの最下段の引き出し１９（図２）を取り外す。
２．ドライバ（不図示）を押付けボルト４５のドライバ溝４５ｃに係合させて押付けボルト４５を押付け時とは反対方向に回し、押付けボルト４５の当接部４５ｂを押付けスタッド４７の内部の被当接部４７ｂから外し穴部４７ａから外して、押付けボルト４５を押付け手段４１から完全に外す。これにより、転倒防止家具１Ａと接地部３１とは別体となり、転倒防止家具１Ａは移動可能となる。
３．転倒防止家具１Ａを別の位置に移動する。このとき、接地部３１は床面５に粘着した状態で残る。
４．取付けナット３９を外して、接地板３３と粘着マット３５及び取付けプレート３７とを分離する。接地板３３を外すと、粘着マット３５及び取付けプレート３７が床面５に残る。
５．粘着マット３５を床面５から剥がす。剥がした粘着マット３５は洗浄して再度利用する。或いは、粘着マット３５を取付けプレート３７から剥がして、他の粘着マット３５（新品の粘着マット３５）に交換する。
６．その後、上記した「台輪の内部空間に接地部を取り付ける作業」と「転倒防止家具を設置する作業」とを実行することで、転倒防止家具１Ａの移動及び再設置ができる。
【００６９】
以上に説明した転倒防止家具１Ａの効果を以下に説明する。
【００７０】
地震等が発生して床面５が揺れ、転倒防止家具１Ａが前方に転倒するような力を受けたとき、転倒防止家具１Ａの天板１１の背面寄りの上部には連結ワイヤ６３の他端が接続されており、更に連結ワイヤ６３の一端が台輪７内の床面５に粘着マット３５を介して密着固定されている接地板３３に連結されているから、転倒防止家具１Ａの最も応力が小さくなる効果的な部位に粘着マット３５の粘着力による抗力を作用させて転倒防止家具１Ａの転倒を防止することが可能になる。
【００７１】
また、転倒防止家具１Ａの構成部材である接地部３１と連結部６１とは、転倒防止家具１Ａの外観に現れないように配置されているから、転倒防止家具１Ａの外観を害することはないし、部屋の床面５や壁面６を傷付けることなく配置されているから部屋の外観を損なうこともない。更に、移動時には、本体部３と接地部３１とを分離することが可能であるから、設置後の転倒防止家具１Ａの移動も容易に行うことが可能になる。
【００７２】
以上が本発明の基本的な実施形態であるが、本発明の転倒防止家具１Ａは前述した実施形態に限定されるものではなく、本発明の要旨を逸脱しない範囲内の部分的構成の変更や省略、あるいは当業者において周知、慣用の技術を追加することが可能である。例えば、上記第１実施形態では、接地板３３と本体部３の底面１２との間に押付け手段４１を設ける構成を説明したが、本発明は、これに限定されるものではない。例えば、接地板３３と本体部３の底面１２との間に押付け手段の一例としてのばねを配置して、地震発生時にも押し付け力を発揮する構成としても良い。
【００７３】
第２実施形態（図１１，図１２参照）
第２実施形態に係る転倒防止家具１Ｂは、第１実施形態に係る転倒防止家具１Ａにおける押付け手段４１と吊持手段５１に代えて、両者の機能を併せ持つ単一の吊持・押付け手段１１１を設けた実施形態である。尚、その他の構成については第１実施形態と同様であるので、ここでの詳細な説明は省略し、第１実施形態と相違する吊持・押付け手段１１１の構成と、その設置作業の過程と効果を中心にして以下詳述する。また、図１１及び図１２において、第１実施形態と共通する構成については、第１実施形態で使用した符号と同じ符号を使用する。
【００７４】
本実施形態では、接地板３３と本体部３の底板１２との間に、設置準備段階で接地板３３を吊持状態で保持し、位置決め完了後に設置段階で床面５上に接地板３３を落とす吊持作用と、床面５上に落とした接地板３３を更に床面５側に押し付ける押付け作用とを併せ持つ吊持・押付け手段１１１が設けられている。
【００７５】
吊持・押付け手段１１１は、接地板３３の上面に設けられたスタッド１１３と、本体部３の底板１２に取り付けられたナット部１１５と、吊持・押付けボルト１１７と、吊上げナット１１９とを備えて構成されている。そして、このようにして構成される吊持・押付け手段１１１は、図１１に示すように台輪７の幅方向Ｘの左右に二組設けられている。
【００７６】
スタッド１１３は、一例として下端部にフランジ状の座板１１３ｃを備える六角柱形状の部材で、スタッド１１３の中心の上面から所定深さの雌ネジ部１１３ａが刻設されている。また、雌ネジ部１１３ａの下部には、雌ネジ部１１３ａの谷径より大径の逃げ部１１３ｄが形成されており、逃げ部１１３ｄの底部が被当接部１１３ｂになっている。雌ネジ部１１３ａは、後述する吊持・押付けボルト１１７の第１雄ネジ部１１７ａのねじ径と同じねじ径（例えばＭ８）を有する。また、逃げ部１１３ｄは、第１雄ネジ部１１７ａの山径より大径の、例えばφ１０に形成されている。また、スタッド１１３が接地板３３の上面に設けられ、接地部３１が台輪７の内部空間内で床面５に配置されるとき、スタッド１１３は、接地部３１を吊り上げるのに充分な距離（例えば５ｍｍ）だけスタッド１１３の上面と本体部３の底面１２とが離間するような長さを有している。
【００７７】
ナット部１１５は、本体部３の底板１２に埋め込まれて構成され、スタッド１１３の雌ネジ部１１３ａ、及び、吊持・押付けボルト１１７の第２雄ネジ部１１７ｂと同径の雌ネジ部１１５ａ（例えばＭ１０）を有する。
【００７８】
吊持・押付けボルト１１７は、一方の端部に形成され、スタッド１１３の被当接部１１３ｂに当接する当接部１１７ｃと、スタッド１１３の雌ネジ部１１３ａに螺合する第１雄ネジ部１１７ａ（例えばＭ８）と、第１雄ネジ部１１７ａの谷径より小径の軸部１１７ｄ（φ６）と、軸部１１７ｄを挟んで第１雄ネジ部１１７ａとは反対側に形成され、第１雄ネジ部１１７ａと同軸で同径の第２雄ネジ部１１７ｂ（例えばＭ１０）と、当接部１１７ｃとは反対側の端部に形成された回転部の一例としてのドライバ溝１１７ｅとを有する。
【００７９】
吊上げナット１１９は、第１実施形態の吊持手段５１の吊上げナット５９と同様、手回し式の操作グリップ１１９ａを一体に備えたナット（例えばＭ１０）によって構成されている。吊持・押付けボルト１１７の第２雄ネジ部１１７ｂに螺合する。
【００８０】
ここで、吊持・押付けボルト１１７の第１雄ネジ部１１７ａのネジ部長さは、スタッド１１３の逃げ部１１３ｄの軸方向長さよりも短く形成されている。これにより、吊持・押付けボルト１１７の第１雄ネジ部１１７ａがスタッド１１３の逃げ部１１３ｄに完全に入り込むとき、吊持・押付けボルト１１７は、上下方向に裕度を確保することができる（図１１）。また、吊持・押付けボルト１１７の軸部１１７ｄは、スタッド１１３の雌ネジ部１１３ａの下側端面とナット部１１５の雌ネジ部１１５ａの上側端面との間の距離より長く形成されている（図１１）。これにより、吊持・押付けボルト１１７の第１雄ネジ部１１７ａがスタッド１１３の雌ネジ部１１３ａに螺合し、同時に、吊持・押付けボルト１１７の第２雄ネジ部１１７ｂがナット部１１５の雌ネジ部１１５ａに螺合する状態を回避することができる（図１２（ｂ））。更に、吊持・押付けボルト１１７は、吊持・押付けボルト１１７の第１雄ネジ部１１７ａがスタッド１１３の雌ネジ部１１３ａに螺合するとき、吊持・押付けボルト１１７の第２雄ネジ部１１７ｂが本体部３の底板１２から上方に突出し（図１２（ａ））、吊持・押付けボルト１１７の当接部１１７ｃがスタッド１１３の被当接部１１３ｂに当接して接地部３１を床面５に押し付けるとき、吊持・押付けボルト１１７の第２雄ネジ部１１７ｂの端部が本体部３の底板１２から上方に突出しない長さに形成されている（図１２（ｃ））。
【００８１】
次に、図１２に基づいて、このようにして構成される第２実施形態に係る転倒防止家具１Ｂが取り得る状態を説明する。
【００８２】
（Ａ）吊持状態（図１２（ａ）参照）
転倒防止家具１Ｂを据え付ける前の段階では、図１２（ａ）に示すように、接地部３１は、床面５から浮いた吊持状態で転倒防止家具１Ｂに固定されて、本体部３及び台輪７と一体になっている。吊持・押付けボルト１１７の第１雄ネジ部１１７ａは、スタッド１１３の雌ネジ部１１３ａに螺合接続されている。本体部３の底板１２から上方に突き出ている第２雄ネジ部１１７ｂは、吊上げナット１１９に螺合接続されている。
【００８３】
（Ｂ）吊持解除状態（図１２（ｂ）参照）
台輪７単体、または、転倒防止家具１Ｂの全体を据付け位置に移動した後、左右の吊上げナット１１９の操作グリップ１１９ａを持って、吊上げナット１１９を所定の方向に回して吊持・押付けボルト１１７を下げる。接地板３３の下面に取り付けられた粘着マット３５が床面５に接触したら（吊持解除）、吊上げナット１１９を更に回して、吊上げナット１１９を吊持・押付けボルト１１７の第２雄ネジ部１１７ｂから取り外す（図１２（ｂ））。
【００８４】
（Ｃ）押付け状態（図１２（ｃ）参照）
その後、ドライバ（不図示）を使って吊持・押付けボルト１１７を更に回して、吊持・押付けボルト１１７の第１雄ネジ部１１７ａをスタッド１１３内の逃げ部１１３ｄに向けて進め、第１雄ネジ部１１７ａをスタッド１１３の雌ネジ部１１３ａとの螺合状態から解除する。そして、吊持・押付けボルト１１７の第２雄ネジ部１１７ｂをナット部１１５の雌ネジ部１１５ａに螺合させて、吊持・押付けボルト１１７の当接部１１７ｃをスタッド１１３の被当接部１１３ｂ（穴部の底面）に当接させる。
【００８５】
この状態から更にドライバ（不図示）を締付け方向に回して、粘着マット３５に圧力を加え、粘着マット３５を圧縮して床面５に密着させた状態にする。そして、粘着マット３５が所定の粘着力を発揮する密着状態にした後、吊持・押付けボルト１１７の締め付けを終了する（図１２（ｃ））。例えば、吊持・押付けボルト１１７の当接部１１７ｃがスタッド１１３の被当接部１１３ｂ（穴部の底面）に当接した状態から、ドライバ（不図示）を締付け方向に更に２回して、適切な押し付け力を発生させることが考えられる。
【００８６】
次に、転倒防止家具１Ｂにおける各種作業を、流れに従って説明する。
【００８７】
（台輪の内部空間に接地部を取り付ける作業）
１．粘着マット３５を取付けプレート３７に貼り付ける。取付けナット３９を使用して、粘着マット３５及び取付けプレート３７を接地板３３に取り付ける。これにより、接地部３１の組み立てが完了する。
２．粘着マット３５の下面の非粘着シート（不図示）を剥離した後、粘着マット３５及び取付けプレート３７よりも厚い板（不図示）の上に、粘着マット３５が厚い板（不図示）に触れないように、接地部３１を置く。これにより、粘着マット３５が床面５から離れた状態で、接地部３１を床面５の上に置くことが可能となる。
３．接地板３３に取り付けられた第１連結金具６５の係止リング６９に連結ワイヤ６３を係止させ、台輪７の枠板２１の開口部２３を通して転倒防止家具１Ｂの背面側に出した状態で、接地部３１を台輪７の内部空間内に配置する。
４．吊持・押付けボルト１１７を、第１雄ネジ部１１７ａを下にして吊持・押付け手段１１１の位置にセットする。具体的には、例えばドライバ（不図示）を使って、吊持・押付けボルト１１７の第１雄ネジ部１１７ａを、本体部３の底板１２に埋め込まれたナット部１１５の雌ネジ部１１５ａに通し、その後、吊持・押付けボルト１１７の第１雄ネジ部１１７ａと、接地板３３の上面に取り付けられたスタッド１１３の雌ネジ部１１３ａとが、接地部３１を吊持ちするのに適切な位置関係となるように、第１雄ネジ部１１７ａをスタッド１１３の雌ネジ部１１３ａに螺合させる。例えば、吊持・押付けボルト１１７がスタッド１１３に接触した状態から、吊持・押付けボルト１１７を所定数だけ回転させる構成としてよい。このとき、吊持・押付けボルト１１７の軸部１１７ｄがナット部１１５の雌ネジ部１１５ａを通り抜けて、第２雄ネジ部１１７ｂが本体部３の底板１２から上方に突き出ている（図１２（ａ））。
５．本体部３の底板１２から上方に突き出ている吊持・押付けボルト１１７の第２雄ネジ部１１７ｂに吊上げナット１１９を取り付けて、スタッド１１３の上面が本体部３の底面１２の下面に当接するまで回すことで、接地部３１を台輪７の内部空間内で吊り上げる。このとき、ドライバ溝１１７ｅにドライバ（不図示）を係合させて、吊持・押付けボルト１１７の回転を防いでも良い。これにより、接地部３１は台輪７の内部空間内で浮いた状態となり、上述の厚い板（不図示）を除去することが可能となる。そして、転倒防止家具１Ｂを、接地部３１と一体として所望の位置に移動して配置することが可能となる。このとき、吊持・押付けボルト１１７の第２雄ネジ部１１７ｂに吊上げナット１１９が取り付いた状態で本体部３の底板１２から上方に突き出ているので、本体部３と台輪７とが一体に構成されている場合、転倒防止家具１Ｂの最下段の引き出し１９（図２）を使用できず、引き出し１９を取り外した状態での転倒防止家具１Ｂの移動作業となる。
【００８８】
（転倒防止家具を設置する作業）
１．転倒防止家具１Ｂを所望の位置に配置する。
２．吊上げナット１１９を吊り上げ時とは反対方向に回転して吊持状態を解除し、台輪７の内部空間内で浮いた状態にあった接地部３１を床面５に下ろす。このとき、ドライバ（不図示）を吊持・押付けボルト１１７のドライバ溝１１７ｅに係合させて吊持・押付けボルト１１７の回転を防いでも良い。
３．吊持・押付けボルト１１７の第２雄ネジ部１１７ｂから吊上げナット１１９を外す。このとき、ドライバ溝１１７ｅにドライバ（不図示）を係合させて、吊持・押付けボルト１１７の回転を防止しても良い。そして、ドライバ（不図示）を使って吊持・押付けボルト１１７を更に回して、吊持・押付けボルト１１７の第１雄ネジ部１１７ａを、スタッド１１３の逃げ部１１３ｄに向けて進め、雌ネジ部１１３ａとの螺合から外す（図１２（ｃ））。
４．次に、上述のドライバ（不図示）を使って、吊持・押付けボルト１１７の第２雄ネジ部１１７ｂをナット部１１５の雌ネジ部１１５ａに螺合させて、吊持・押付けボルト１１７の当接部１１７ｃをスタッド１１３の被当接部１１３ｂ（穴部の底面）に当接させる。
５．そして、粘着マット３５に適切な押し付け力が発生するように、上述のドライバ（不図示）を使って吊持・押付けボルト１１７を更に回す。これにより、転倒防止家具１Ｂと接地部３１とは一体となる。このとき、吊持・押付けボルト１１７は本体部３の底板１２から上方に突き出ないので、転倒防止家具１Ｂの最下段の引き出し１９（図２）は使用可能となる。
６．続いて、台輪７の背面の枠板２１における開口部２３から出ている連結ワイヤ６３の他端を、転倒防止家具１Ｂの背面側の壁面６との間の空間に引き出し、更に高さ方向Ｚに繰り出して、転倒防止家具１Ｂの天板１１に取り付けられた第２連結金具７３の長穴７５に係止させる。
【００８９】
（既に設置されている転倒防止家具を移動する作業）
１．転倒防止家具１Ｂの天板１１に取り付けられた第２連結金具７３の長穴７５から連結ワイヤ６３を取り外す。また、転倒防止家具１Ｂの最下段の引き出し１９（図２）を取り外す。
２．ドライバ（不図示）を使って吊持・押付けボルト１１７を押付け時とは反対方向に回し、吊持・押付けボルト１１７の第２雄ネジ部１１７ｂをナット部１１５の雌ネジ部１１５ａから外し、更に、吊持・押付けボルト１１７を持ち上げて吊持・押付けボルト１１７の第１雄ネジ部１１７ａを、本体部３の底板１２に埋め込まれたナット部１１５の雌ネジ部１１５ａを通して、スタッド１１３から外し、吊持・押付け手段１１１から完全に外す。これにより、転倒防止家具１Ｂは移動可能となる。
３．転倒防止家具１Ｂを別の位置に移動する。このとき、接地部３１は床面５に粘着した状態で残る。
４．取付けナット３９を外して、接地板３３と粘着マット３５及び取付けプレート３７とを分離する。接地板３３を外すと、粘着マット３５及び取付けプレート３７が床面５に残る。
５．粘着マット３５を床面５から剥がす。剥がした粘着マット３５は洗浄して再度利用する。或いは、粘着マット３５を取付けプレート３７から剥がして、他の粘着マット３５（新品の粘着マット３５）に交換する。
６．その後、上記した「台輪の内部空間に接地部を取り付ける作業」と「転倒防止家具を設置する作業」とを実行することで、転倒防止家具１Ｂの移動及び再設置ができる。
【００９０】
上記第１及び第２の実施形態では、連結部６１が第１連結金具６５と第２連結金具７３とを備える構成を説明したが、本発明は、これに限定されるものではない。例えば、連結金具を使用することなく、接地板３３の上面の縁部の中央と本体部３の背面側の上部とを連結ワイヤ６３で直接張設される構成としても良い。また、本体部３の上部と接地部３１とを連結する構成に代えて、後述する第３実施形態における固定手段１３１を用いて、本体部３の底板１２と接地部３１とを固定する構成としても良い。
【００９１】
第３実施形態（図１３、図７、図８参照）
第２実施形態では、接地部３１を吊持状態にする場合と、吊持状態を解除して接地部３１を床面５に押し付ける場合とで、吊持・押付け手段１１１を反転しないで使用する形態を説明した。第３実施形態に係る転倒防止家具１Ｃは、吊持・押付け手段９１を反転させて、吊持状態と押付け状態とを実現する実施形態である。また、第１実施形態や第２実施形態では、連結手段の一例として、第１連結金具６５と第２連結金具７３と連結ワイヤ６３とを有する連結部６１を説明した。第３実施形態に係る転倒防止家具１Ｃは、連結手段の他の一例として、本体部３の底板１２に接地板３３を固定する固定手段１３１を備える形態である。尚、その他の構成については第１実施形態や第２実施形態と同様であるので、ここでの詳細な説明は省略し、第１実施形態や第２実施形態と相違する吊持・押付け手段９１、固定手段１３１の構成と、その設置作業の過程と効果を中心にして以下詳述する。また、図１３、図７、図８において、第１実施形態や第２実施形態と共通する構成については、第１実施形態や第２実施形態で使用した符号と同じ符号を使用する。
【００９２】
転倒防止家具１Ｃでは、接地部３１と本体部３の底板１２との間に、設置準備段階で接地部３１を吊持状態で保持し、位置決め完了後に設置段階で床面５上に接地部３１を落とす吊持作用と、床面５上に落とした接地部３１を更に床面５側に押し付ける押付け作用とを併せ持つ吊持・押付け手段９１が設けられている。
【００９３】
吊持・押付け手段９１は、接地板３３の上面に設けられたスタッド９３と、本体部３の底板１２に取り付けられたナット部９５と、吊持・押付けボルト９７と、吊上げナット９９とを備えて構成されている。そして、このようにして構成される吊持・押付け手段９１は、図１３及び図７に示すように台輪７の幅方向Ｘの左右に二組設けられている。
【００９４】
スタッド９３は、第１実施形態の押付け手段４１又は吊持手段５１において設けられていた押付けスタッド４７又は吊持スタッド５３と同様、一例として下端部にフランジ状の座板９３ｃを備える六角柱形状の部材で、スタッド９３の中心の上面から所定深さの穴部が形成されている。また、穴部の上部には雌ネジ部９３ａが刻設されており、穴部の底部が被当接部９３ｂになっている。雌ネジ部９３ａは、後述する吊持・押付けボルト９７の第１雄ネジ部９７ａのねじ径と同じねじ径（例えばＭ１０）を有する。
【００９５】
ナット部９５は、本体部３の底板１２に埋め込まれて構成され、スタッド９３の雌ネジ部９３ａ、及び、吊持・押付けボルト９７の第１雄ネジ部９７ａと同径の雌ネジ部（例えばＭ１０）を有する。
【００９６】
吊持・押付けボルト９７は、ナット部９５の雌ネジ部を通過しスタッド９３の雌ネジ部９３ａに螺合する第１雄ネジ部９７ａ（例えばＭ１０）と、第１雄ネジ部９７ａと同軸で第１雄ネジ部９７ａより小径（例えばＭ８）の第２雄ネジ部９７ｂと、第２雄ネジ部９７ｂ側の端部に形成され、スタッド９３の被当接部９３ｂに当接する当接部９７ｃとを有する。また、吊持・押付けボルト９７は、第１雄ネジ部９７ａ側の端面と第２雄ネジ部９７ｂ側の端面のそれぞれに、第１回転部、第２回転部の一例としての第１ドライバ溝９７ｄ、第２ドライバ溝９７ｅを備えて構成されている。
【００９７】
吊上げナット９９は、手回し式の操作グリップ９９ａを一体に備えたナット（Ｍ８）によって構成され、吊持・押付けボルト９７の第２雄ネジ部９７ｂと螺合して接地部３１を吊り上げる。
【００９８】
吊持・押付けボルト９７は、第１雄ネジ部９７ａがスタッド９３の雌ネジ部９３ａに螺合するとき、第２雄ネジ部９７ｂが本体部３の底板１２から上方に突出して吊上げナット９９に螺合することが可能であり（図８（ａ））、また、当接部９７ｃがスタッド９３の被当接部９３ｂに当接して吊持・押付けボルト９７が接地部３１を床面５に押し付けるとき、第２雄ネジ部９７ｂの端部が本体部３の底板１２から上方に突出しない長さに形成されている（図８（ｃ））。そして、この吊持・押付けボルト９７の形状に対応して、スタッド９３も雌ネジ部９３ａの長さが決定されている。
【００９９】
また、本実施形態では、連結手段の一例として、本体部３に対して接地部３１を固定する固定手段１３１を備えて構成されている。固定手段１３１は、本体部３の底面１２に穿かれた貫通穴１２ａ（例えばφ１０）と、接地板３３の上面に刻設された雌ネジ部３３ａ（例えばＭ８）と、本体部３の底面１２に対して接地板３３を固定する固定ねじ１３３（例えばＭ８）及びワッシャ１３５とを備えて構成されている。そして、このようにして構成される固定手段１３１は、図１３及び図７に示すように台輪７の幅方向Ｘの左右に二組設けられている。
【０１００】
次に、図８に基づいて、このようにして構成される第３実施形態に係る転倒防止家具１Ｃが取り得る状態を説明する。
【０１０１】
（Ａ）吊持状態（図８（ａ）参照）
転倒防止家具１Ｃを据え付ける前の段階では、図８（ａ）に示すように、接地部３１は、床面５から浮いた吊持状態で転倒防止家具１Ｃに固定されて、本体部３及び台輪７と一体になっている。吊持・押付けボルト９７の第１雄ネジ部９７ａは、スタッド９３の雌ネジ部９３ａに螺合接続されており、本体部３の底板１２から上方に突出している第２雄ネジ部９７ｂは、吊上げナット９９に螺合接続されている。
【０１０２】
（Ｂ）吊持解除状態（図８（ｂ）参照）
台輪７単体、または、転倒防止家具１Ｃ全体を据付け位置に移動した後、左右の吊上げナット９９の操作グリップ９９ａを持って、吊上げナット９９を所定の方向に回して吊持・押付けボルト９７を下げる。接地板３３の下面に取り付けられた粘着マット３５が床面５に接触したら（吊持解除）、吊上げナット９９を更に回して、吊上げナット９９を吊持・押付けボルト９７の第２雄ネジ部９７ｂから取り外す（図８（ｂ））。そして、ドライバ（不図示）を使って、吊持・押付けボルト９７を所定の方向に回し、吊持・押付けボルト９７の第１雄ネジ部９７ａとスタッド９３の雌ネジ部９３ａとの螺合状態を解除する。その後、吊持・押付けボルト９７を引き上げ、更に回してナット部９５の雌ネジ部を通過させて、吊持・押付けボルト９７を上方に引き抜いてナット部９５から取り外す。取り外した吊上げナット９９は、設置した転倒防止家具１Ｃの将来の移動に備えて保管する。
【０１０３】
（Ｃ）押付け状態（図８（ｃ）参照）
その後、取り外した吊持・押付けボルト９７を反転し、第２雄ネジ部９７ｂを下にして（第１雄ネジ部９７ａを上にして）ナット部９５に挿入して通過させ、更に、第２雄ネジ部９７ｂをスタッド９３に挿入する。ドライバ（不図示）を使って、吊持・押付けボルト９７の第１雄ネジ部９７ａをナット部９５の雌ネジ部に螺合させて、吊持・押付けボルト９７先端の当接部９７ｃをスタッド９３の穴部底部の被当接部９３ｂに当接させる。
【０１０４】
この状態から更にドライバ（不図示）を締付け方向に回すと、粘着マット３５に圧力が加わり、粘着マット３５を圧縮して床面５に密着させた状態になる。そして、例えば更に２回しすることで、粘着マット３５が所定の粘着力を発揮する密着状態にした後、吊持・押付けボルト９７の締め付けを終了する（図８（ｃ））。
【０１０５】
続いて、本体部３の底板１２に穿かれた貫通穴１２ａに固定ねじ１３３及びワッシャ１３５を配し、固定ねじ１３３を接地板３３の雌ネジ部３３ａに螺合する（図８（ｃ））。これにより、接地部３１を本体部３に固定する。
【０１０６】
次に、転倒防止家具１Ｃにおける各種作業を、流れに従って説明する。
【０１０７】
（台輪の内部空間に接地部を取り付ける作業）
１．粘着マット３５を取付けプレート３７に貼り付ける。取付けナット３９を使用して、粘着マット３５及び取付けプレート３７を接地板３３に取り付ける。これにより、接地部３１の組み立てが完了する。
２．粘着マット３５の下面の非粘着シート（不図示）を剥離した後、粘着マット３５及び取付けプレート３７よりも厚い板（不図示）の上に、粘着マット３５が厚い板（不図示）に触れないように、接地部３１を置く。これにより、粘着マット３５が床面５から離れた状態で、接地部３１を床面５の上に置くことが可能となる。
３．吊持・押付けボルト９７を、第１雄ネジ部９７ａを下にして吊持・押付け手段９１の位置にセットする。具体的には、例えばドライバ（不図示）を吊持・押付けボルト９７の第２ドライバ溝９７ｅに係合させて、吊持・押付けボルト９７の第１雄ネジ部９７ａを、本体部３の底板１２に埋め込まれたナット部９５の雌ネジ部にねじ回しして通し、その後、ドライバ（不図示）を更に回して、接地板３３の上面に取り付けられたスタッド９３の雌ネジ部９３ａに最後まで螺合させる。このとき、吊持・押付けボルト９７はナット部９５の雌ネジ部を通り抜けて、第２雄ネジ部９７ｂが本体部３の底板１２から上方に突き出ている。
４．本体部３の底板１２から上方に突き出ている吊持・押付けボルト９７の第２雄ネジ部９７ｂに吊上げナット９９を取り付けて回すことで、接地部３１を台輪７の内部空間内で吊り上げる。このとき、ドライバ（不図示）を吊持・押付けボルト９７の第２ドライバ溝９７ｅに係合させて、吊持・押付けボルト９７の回転を防いでも良い。これにより、接地部３１は台輪７の内部空間内で浮いた状態となり、上述の厚い板（不図示）を除去することが可能となる。そして、転倒防止家具１Ｃを、接地部３１と一体として所望の位置に移動して配置することが可能となる。吊持・押付けボルト９７の第２雄ネジ部９７ｂに吊上げナット９９が取り付いた状態で本体部３の底板１２から上方に突き出ているので、本体部３と台輪７とが一体に構成されている場合、転倒防止家具１Ｃの最下段の引き出し１９（図２）を使用できず、引き出し１９を取り外した状態での転倒防止家具１Ｃの移動作業となる。
【０１０８】
（転倒防止家具を設置する作業）
１．転倒防止家具１Ｃを所望の位置に配置する。
２．吊上げナット９９を吊り上げ時とは反対方向に回転して吊持状態を解除し、台輪７の内部空間内で浮いた状態にあった接地部３１を床面５に下ろす。このとき、ドライバ（不図示）を吊持・押付けボルト９７の第２ドライバ溝９７ｅに係合させて、吊持・押付けボルト９７の回転を防いでも良い。
３．吊持・押付けボルト９７の第２雄ネジ部９７ｂから吊上げナット９９を外す。そして、上述のドライバ（不図示）を吊持・押付けボルト９７の第２ドライバ溝９７ｅに係合させて吊持・押付けボルト９７を回して、スタッド９３の雌ネジ部９３ａに螺合していた吊持・押付けボルト９７の第１雄ネジ部９７ａをスタッド９３から取り外し、更に、ナット部９５からも取り外す。即ち、吊持・押付けボルト９７を吊持・押付け手段９１から、一旦、完全に取り外す。
４．次に、吊持・押付けボルト９７を反転し第２雄ネジ部９７ｂを下にして、吊持・押付け手段９１の位置にセットする。具体的には、吊持・押付けボルト９７の第２雄ネジ部９７ｂを、ナット部９５の雌ネジ部に通して、スタッド９３の穴部に入れる。ドライバ（不図示）を吊持・押付けボルト９７の第１ドライバ溝９７ｄに係合させて、第１雄ネジ部９７ａを、本体部３の底板１２に埋め込まれたナット部９５の雌ネジ部に螺合させる。吊持・押付けボルト９７の当接部９７ｃは、接地板３３の上面に取り付けられたスタッド９３の内部の被当接部９３ｂに当接する。このとき、吊持・押付けボルト９７の第２雄ネジ部９７ｂは、スタッド９３内で何とも螺合しない。
５．そして、粘着マット３５に適切な押し付け力が発生するように、上述のドライバ（不図示）を使って吊持・押付けボルト９７を更に回す。これにより、転倒防止家具１Ｃと接地部３１とは一体となる。このとき、吊持・押付けボルト９７は本体部３の底板１２から上方に突き出ないので、転倒防止家具１Ｃの最下段の引き出し１９（図２）は使用可能となる。
６．続いて、本体部３の底板１２に穿かれた貫通穴１２ａに固定ねじ１３３及びワッシャ１３５を配し、固定ねじ１３３を接地板３３の雌ネジ部３３ａに螺合する。これにより、接地部３１は、本体部３に固定される。
【０１０９】
（既に設置されている転倒防止家具を移動する作業）
１．転倒防止家具１Ｃの最下段の引き出し１９（図２）を取り外す。そして、固定ねじ１３３を接地板３３の雌ネジ部３３ａから外し、固定ねじ１３３及びワッシャ１３５を本体部３の底面１２から取り外す。
２．ドライバ（不図示）を使って吊持・押付けボルト９７を押付け時とは反対方向に回し、吊持・押付けボルト９７の第２雄ネジ部９７ｂをスタッド９３の穴部から外して、更に、吊持・押付けボルト９７をスタッド９３から完全に外す。これにより、転倒防止家具１Ｃと接地部３１とは別体となり、転倒防止家具１Ｃは移動可能となる。
３．転倒防止家具１Ｃを別の位置に移動する。このとき、接地部３１は床面５に粘着した状態で残る。
４．取付けナット３９を外して、接地板３３と粘着マット３５及び取付けプレート３７とを分離する。接地板３３を外すと、粘着マット３５及び取付けプレート３７が床面５に残る。
５．粘着マット３５を床面５から剥がす。剥がした粘着マット３５は洗浄して再度利用する。或いは、粘着マット３５を取付けプレート３７から剥がして、他の粘着マット３５（新品の粘着マット３５）に交換する。
６．その後、上記した「台輪の内部空間に接地部を取り付ける作業」と「転倒防止家具を設置する作業」とを実行することで、転倒防止家具１Ｃの移動及び再設置ができる。
【０１１０】
そして、このようにして構成される第３実施形態に係る転倒防止家具１Ｃによっても、第１実施形態に係る転倒防止家具１Ａと同様の作用、効果が発揮され、更に本実施形態にあっては、吊持作用と押付け作用を併せ持つ吊持・押付け手段９１の採用によって部品点数を削減して、よりコンパクトな転倒防止家具１Ｃが提供できるようになる。
【０１１１】
尚、上述の固定手段１３１に代えて、第１又は第２実施形態で説明した本体部３の上部と接地部３１とを連結する構成を用いても、吊持・押付け手段９１を反転させて吊持状態と押付け状態とを実現することは可能である。
【０１１２】
第４実施形態（図９及び図１０参照）
例えば、前述した第１実施形態乃至第３実施形態の構成に加えて、本発明に係る転倒防止機能を有する家具の他の例として、図９及び図１０に示すような構成を追加することが可能である。即ち、図９及び図１０に示す第４実施形態に係る転倒防止家具１Ｄでは、接地板３３と本体部３の底板１２との間に、底板１２の下面と接地板３３の上面の一方に横断面方向に湾曲した凸面１０１ａを有する第１凸部１０１を設け、底板１２の下面と接地板３３の上面の他方に横断面方向に湾曲した凹陥面１０３ａを有し、常時第１凸部１０１に当接している第２凹部１０３を対向するように設けることが可能である。接地板３３の下に粘着マットと取付けプレートがない点で、上記した第１乃至第３実施形態と相違する。ここで、接地板３３は、台輪７の内部空間における前面寄りのスペースに配置されることが好ましい。これにより、家具を幾分後方に傾けた姿勢を保持することができる。
【０１１３】
また、第１凸部１０１と第２凹部１０３は、接地板３３に設けられている連結部６１との連結点Ｏに対して、本体部３の重心Ｇを通る鉛直線Ｌを挟んでその反対側に位置するように配置されている。
【０１１４】
尚、第１凸部１０１と第２凹部１０３は、図１０（ａ）に示すように接地板３３と本体部３の底板１２の幅方向Ｘの全長に亘って連続して配置することが可能であり、あるいは図１０（ｂ）に示すように幅方向Ｘの一部、例えば左右両端に分断して配置することが可能である。
【０１１５】
更に、本実施形態では、第１凸部１０１の凸面１０１ａが第２凹部１０３の凹陥面１０３ａに当接している平常時の状態において、第１凸部１０１と第２凹部１０３近傍の台輪７の底面（例えば前面側の枠板２１の底面）が床面５から浮き上がって、床面５の上方に位置するように構成されている。その結果、転倒防止家具１Ｄの自重によって、常に接地板３３を押し付けることとなり、第１乃至第３実施形態のような、ボルトで接地板３３に押し付け力を印加する構成を省くことができる。
【０１１６】
平常時、連結ワイヤがピンと張った状態にあるときに地震が来れば、家具が回転して連結ワイヤに引っ張られて接地板が持ち上げられることも考えられるが、本実施形態では、連結ワイヤにわずかな緩みを設け、地震が来て家具が回転したときに初めて連結ワイヤがピンと張るような構成とすることもできる。このような構成により、接地板に連結された連結ワイヤによって家具の倒れを防止する力が家具に作用する。
【０１１７】
従って、このように構成される図９及び図１０に示す転倒防止家具１Ｄによっても、第１乃至第３実施形態と同様の作用と効果が発揮され、更に本実施形態にあっては、転倒防止家具１Ｄの姿勢が幾分、後方に傾いた姿勢で保持されることになるから、地震等の揺れ発生によって生ずる転倒防止家具１Ｄの前方への転倒のおそれがより軽減される。
【０１１８】
また、連結部６１を一ヶ所のみに設ける他、転倒防止家具１Ｄの幅方向Ｘの左右に一組ずつ二ヶ所に設ける等、複数箇所に設けることが可能である。また、転倒防止家具１Ｄの据付け位置が部屋のコーナ部や隣接する転倒防止家具１Ｄが存在する場合には、転倒防止家具１Ｄの背面側に加えて転倒防止家具１Ｄの外観に現れない側面側にも連結部６１を配置することが可能である。
【０１１９】
また、台輪７に形成する開口部２３（図２）は、背面側の枠板２１を取り外して台輪９の背面のすべてを開口部２３としてもよいし、背面側の枠板２１に形成した孔部やスリットを開口部２３として使用することも可能である。
【０１２０】
更に、図９及び図１０に示す第１凸部１０１と第２凹部１０３の取付け位置を逆にして底板１２の下面に凸面１０１ａを下に向けた第１凸部１０１を設け、接地板３３の上面に凹陥面１０３ａを上に向けた第２凹部１０３を配置することも可能である。
〔態様１〕
〔書類名〕特許請求の範囲
〔態様１〕
物を収納する本体部と、当該本体部と床面との間に配置されて当該本体部を支承する台輪と、を備えた転倒防止機能を有する家具であって、
前記台輪の内部空間内で床面に配置される接地部と、
前記接地部を前記本体部に連結する連結手段と、
を備える、転倒防止機能を有する家具。
〔態様２〕
態様１に記載の転倒防止機能を有する家具において、
前記台輪は、前記本体部の背面側に開口部が形成されており、
一端が前記接地部に連結され、他端が前記開口部から前記本体部の前記背面を通って当該背面の上部に連結される連結部を更に備える、転倒防止機能を有する家具。
〔態様３〕
態様２に記載の転倒防止機能を有する家具において、
前記連結部は、
前記接地部に取り付けられる第１連結具と、
前記本体部の前記背面側の上部に取り付けられる第２連結具と、
前記第１連結具と前記第２連結具との間に張設される連結ワイヤと、
を備える、転倒防止機能を有する家具。
〔態様４〕
態様１乃至３のいずれか一項に記載の転倒防止機能を有する家具において、
前記接地部は、
前記台輪とは別体に設けられる接地板と、
前記接地板の下面に取り付けられ、床面に密着されることで粘着力を発揮する粘着マットと、
を備える、転倒防止機能を有する家具。
〔態様５〕
態様４に記載の転倒防止機能を有する家具において、
前記接地板と前記本体部の底板との間に、当該接地板を床面に押し付ける押付け手段が設けられている、転倒防止機能を有する家具。
〔態様６〕
態様５に記載の転倒防止機能を有する家具において、
前記押付け手段は、
前記接地板の上面に設けられた押付けスタッドであって、穴部を備えた押付けスタッドと、
前記本体部の前記底板に埋め込まれた押付けナット部と、
前記押付けナット部に螺合する雄ネジ部と、当該雄ネジ部側の端面に形成された回転部と、当該回転部とは反対側の端部に形成された当接部とを有する押付けボルトと、
を備え、
前記押付けボルトの前記当接部は、前記押付けスタッドの前記穴部の内部に形成される被当接部に当接し、
前記押付けボルトの前記当接部が前記押付けスタッドの前記穴部の内部に形成された前記被当接部に当接して前記接地部を床面に押し付けるとき、当該押付けボルトの前記雄ネジ部側の端面が前記本体部の前記底板から上方に突出しない、転倒防止機能を有する家具。
〔態様７〕
態様５又は６に記載の転倒防止機能を有する家具において、
前記接地板と前記本体部の前記底板との間に、前記接地部を吊持状態で保持し、位置決め完了後に吊持状態を解除する吊持手段が設けられている、転倒防止機能を有する家具。
〔態様８〕
態様７に記載の転倒防止機能を有する家具において、
前記吊持手段は、
前記接地板の上面に設けられた吊持スタッドであって、内部に雌ネジ部が刻設された吊持スタッドと、
前記本体部の前記底板に設けられた吊持部と、
第１雄ネジ部、及び、当該第１雄ネジ部と同軸で前記吊持スタッドの前記雌ネジ部に螺合する第２雄ネジ部、当該第１雄ネジ部側の端面に形成された回転部を有する吊持ボルトと、
前記吊持ボルトの前記第１雄ネジ部に螺合して前記接地部を吊り上げる吊上げナットと、
を備える、転倒防止機能を有する家具。
〔態様９〕
態様４に記載の転倒防止機能を有する家具において、
前記接地板と前記本体部の底板との間に、前記接地部を吊持状態で保持し、位置決め完了後に吊持状態を解除する吊持作用、及び、吊持状態が解除された当該接地部の当該接地板を当該床面に更に押し付ける押付け作用を併せ持つ吊持・押付け手段が設けられている、転倒防止機能を有する家具。
〔態様１０〕
態様９に記載の転倒防止機能を有する家具において、
前記吊持・押付け手段は、
前記接地板の上面に設けられたスタッドであって、穴部を備え、当該穴部の側面に刻設された所定の深さの雌ネジ部、及び、当該雌ネジ部の奥に形成され当該雌ネジ部の谷径より大径の逃げ部を備えたスタッドと、
前記本体部の前記底板に埋め込まれ、前記スタッドの前記雌ネジ部と同径の雌ネジ部を有するナット部と、
一方の端部に形成された当接部、及び、前記スタッドの前記雌ネジ部に螺合する第１雄ネジ部、当該第１雄ネジ部の谷径より小径の軸部、当該軸部を挟んで当該第１雄ネジ部とは反対側に形成された第２雄ネジ部、当該当接部とは反対側の端部に形成された回転部を有する吊持・押付けボルトと、
前記吊持・押付けボルトの前記第２雄ネジ部に螺合して前記接地部を吊り上げる吊上げナットと、
を備え、
前記吊持・押付けボルトの前記当接部は、前記スタッドの前記穴部の内部に形成される被当接部に当接し、
前記吊持・押付けボルトの前記第１雄ネジ部のねじ長さは、前記スタッドの前記逃げ部の軸方向長さより短く、
前記吊持・押付けボルトの前記軸部は、前記スタッドの前記雌ネジ部の下側端面と前記ナット部の前記雌ネジ部の上側端面との間の距離より長く形成され、
前記接地部を吊持ちするために、前記吊持・押付けボルトの前記第１雄ネジ部が前記スタッドの前記雌ネジ部に螺合するとき、当該吊持・押付けボルトの前記第２雄ネジ部が前記本体部の前記底板から上方に突出し、
前記吊持・押付けボルトの前記当接部が前記スタッドの前記穴部の内部に形成された前記被当接部に当接して前記接地部を床面に押し付けるとき、当該吊持・押付けボルトの前記第２雄ネジ部側の端面が前記本体部の前記底板から上方に突出しない、転倒防止機能を有する家具。
〔態様１１〕
態様９に記載の転倒防止機能を有する家具において、
前記吊持・押付け手段は、
前記接地板の上面に設けられたスタッドであって、穴部を備え、当該穴部の側面に所定の深さの雌ネジ部が刻設されたスタッドと、
前記本体部の前記底板に埋め込まれたナット部であって、前記スタッドの前記雌ネジ部と同径の雌ネジ部を有するナット部と、
前記スタッドの前記雌ネジ部に螺合する第１雄ネジ部、及び、当該第１雄ネジ部側の端面に形成された第１回転部、当該第１雄ネジ部と同軸で反対側に形成され、当該第１雄ネジ部より小径の第２雄ネジ部、当該第２雄ネジ部側の端部に形成された当接部、当該当接部の端面に形成された第２回転部を有する吊持・押付けボルトと、
前記吊持・押付けボルトの前記第２雄ネジ部に螺合して前記接地部を吊り上げる吊上げナットと、
を備え、
前記吊持・押付けボルトの前記当接部は、前記スタッドの前記穴部の内部に形成される被当接部に当接し、
前記吊持・押付けボルトの前記第１雄ネジ部が前記スタッドの前記雌ネジ部に完全に螺合するとき、当該吊持・押付けボルトの前記第２雄ネジ部が前記本体部の前記底板から上方に突出し、
前記吊持・押付けボルトの前記当接部が前記スタッドの前記穴部の内部に形成された前記被当接部に当接して前記接地部を床面に押し付けるとき、当該吊持・押付けボルトの前記第１雄ネジ部側の端面が前記本体部の前記底板から上方に突出しない、転倒防止機能を有する家具。
〔態様１２〕
態様１に記載の転倒防止機能を有する家具において、
前記連結手段は、前記本体部に対して前記接地部を固定する固定手段を備える、転倒防止機能を有する家具。
〔態様１３〕
態様１２に記載の転倒防止機能を有する家具において、
前記固定手段は、
前記本体部の底面に穿かれた貫通穴と、
前記接地部を構成する接地板の上面に刻設された雌ネジ部と、
前記接地部を前記本体部に固定する固定ねじと、を備える、転倒防止機能を有する家具。
〔態様１４〕
態様２又は３に記載の転倒防止機能を有する家具において、
前記接地部を構成する接地板と前記本体部の底板との間に、
前記底板の下面と前記接地板の上面のいずれか一方に横断面方向に湾曲した凸面を有する第１凸部が設けられ、
前記底板の前記下面と前記接地板の前記上面の他方に横断面方向に湾曲した凹陥面を有し、常時前記第１凸部に当接している第２凹部が対向するように設けられており、
前記第１凸部と前記第２凹部とは、前記接地板に設けられた前記連結部との連結点に対して、前記本体部の重心を通る鉛直線を挟んでその反対側に位置すると共に、当該接地板と当該本体部の前記底板の幅方向の全長に連続して、あるいは当該幅方向の一部に分断して配置されていて、
前記第１凸部の前記凸面が前記第２凹部の前記凹陥面に当接している平常時の状態では、当該第１凸部及び当該第２凹部の近傍の前記台輪の底面が床面から浮き上がっている、転倒防止機能を有する家具。
【産業上の利用可能性】
【０１２１】
本発明は、地震等の揺れで家具が大きく傾いて転倒するのを防止する転倒防止家具の製造、使用分野等で利用でき、特に部屋の壁や床面等を傷付けることなく、家具の外観を害することなく設置が可能であり、設置後の家具の移動が容易で耐震性に優れる転倒防止家具を提供したい場合に利用可能性を有する。
【符号の説明】
【０１２２】
１（１Ａ，１Ｂ，１Ｃ）：転倒防止家具、３：本体部、５：床面、６：壁面、７：台輪、１１：天板、１２：底板、１２ａ：貫通穴、１３：左側板、１４：右側板、１５：背板、１６：棚板、１７：扉、１９：引き出し、２１：枠板、２３：開口部、３１：接地部、３３：接地板、３３ａ：雌ネジ部、３５：粘着マット、３７：取付けプレート、３９：取付けナット、
４１：押付け手段、４３：押付けナット部、４５：押付けボルト、４５ａ：雄ネジ部、４５ｂ：当接部、４７：押付けスタッド、４７ａ：穴部、４７ｂ：被当接部、４７ｃ：座板、５１：吊持手段、５３：吊持スタッド、５３ａ：雌ネジ部、５３ｃ：座板、５５：吊持部、５７：吊持ボルト、５７ａ：第１雄ネジ部、５７ｂ：第２雄ネジ部、５７ｃ：ドライバ溝（回転部）、５９：吊上げナット、５９ａ：操作グリップ、６１：連結部（連結手段）、６３：連結ワイヤ、６５：第１連結金具（第１連結具）、６７：座板、６９：係止リング、７１：取付けネジ、７３：第２連結金具（第２連結具）、７５：長穴、７７：取付けネジ、
９１：吊持・押付け手段、９３：スタッド、９３ａ：雌ネジ部、９３ｂ：被当接部、９３ｃ：座板、９５：ナット部、９７：吊持・押付けボルト、９７ａ：第１雄ネジ部、９７ｂ：第２雄ネジ部、９７ｃ：当接部、９７ｄ：第１ドライバ溝（回転部）、９７ｅ：第２ドライバ溝（回転部）、９９：吊上げナット、９９ａ：操作グリップ、
１０１：第１凸部、１０１ａ：凸面、１０３：第２凹部、１０３ａ：凹陥面、
１１１：吊持・押付け手段、１１３：スタッド、１１３ａ：雌ネジ部、１１３ｂ：被当接部、１１３ｃ：座板、１１３ｄ：逃げ部、１１５：ナット部、１１５ａ：雌ネジ部、１１７：吊持・押付けボルト、１１７ａ：第１雄ネジ部、１１７ｂ：第２雄ネジ部、１１７ｃ：当接部、１１７ｄ：軸部、１１７ｅ：ドライバ溝（回転部）、１１９：吊上げナット、１１９ａ：操作グリップ、
１３１：固定手段（連結手段）、１３３：固定ねじ、１３５：ワッシャ、
Ａ：収納物、Ｂ：載置物、Ｘ：幅方向、Ｙ：奥行き方向、Ｚ：高さ方向、Ｏ：連結点、Ｇ：重心、Ｌ：鉛直線
【要約】
【課題】部屋や家具の外観を損なうことなく設置が可能で、設置後に移動が容易な、耐震性に優れた転倒防止機能を有する家具を提供する。
【解決手段】転倒防止家具１は、物を収納する本体部３と、本体部と床面５との間に配置されて本体部を支承する台輪７とを備え、台輪の内部空間内で床面に配置される接地部３１と、接地部を本体部に連結する連結手段６１，１３１とを備える。
【選択図】図１【図１】
0005572237.tif 000002
【図２】
0005572237.tif 000003
【図３】
0005572237.tif 000004
【図４】
0005572237.tif 000005
【図５】
0005572237.tif 000006
【図６】
0005572237.tif 000007
【図７】
0005572237.tif 000008
【図８】
0005572237.tif 000009
【図９】
0005572237.tif 000010
【図１０】
0005572237.tif 000011
【図１１】
0005572237.tif 000012
【図１２】
0005572237.tif 000013
【図１３】
0005572237.tif 000014